(57)【要約】【課題】  従来のノギス及び電子ノギスは殆どのばあい片手で被測定物を掴み残った片方の手でノギスを挟み持ちながらスライダを摺動させて測定するものでこの行為は熟練者には容易な操作であるが初心者及び肢体不自由者には困難を伴った又、水中及び工事現場など作業を行う環境によっては測定操作に困難をともない落下させてその衝撃によりノギスの精度を狂わせることもあった。【解決手段】  ノギス及び電子ノギスの本尺裏面とスライダ裏面にそれぞれ指掛部又は、指通し部のいずれかを設け、その指掛部又は、指通し部に指を掛けるか指を通すことにより掛けた指又は、通した指を伸縮させることでスライダの摺動を容易にした又、指を通しているばあい不用意に落下させることも減りノギスの精度を狂わせることが少なくなる。【選択図】図1
2009293962.tif 000002
【特許請求の範囲】
【請求項１】
一方の測定ジョーを有する本尺とこの本尺の長手方向へスライド可能に設けられた前記一方のジョーと共に被測定物に当接される他方の測定ジョーを有するスライダとを備えた公知のノギスにおいて、前記本尺長手方向の裏面に指掛部又は、指通し部を溶接固着し且つ、スライダの裏面に指掛部又は、指通し部を溶接固着して、該指掛部又は、該指通し部に指を掛けるか又は、指を通すことにより操作性を向上させたことを特徴とするノギス。
【請求項２】
一方の測定ジョーを有する電子部品内蔵の本尺とこの本尺の長手方向へスライド可能に設けられた前記一方のジョーと共に被測定物に当接される他方の測定ジョーを有する電子部品内臓可動部（以後スライダと称す）とを備えた公知の電子ノギスにおいて、前記本尺長手方向の裏面に指掛部又は、指通し部を溶接固着し且つ、前記スライダの裏面に指掛部又は、指通し部を溶接固着し、該指掛部又は、該指通し部に指を掛けるか又は、指を通すことにより操作性を向上させたことを特徴とする電子ノギス。
【請求項３】
請求項1及び請求項2に記載のノギス及び電子ノギスに設けた指掛部又は、指通し部を取外し可能又は、位置変え可能としたノギス及び電子ノギス。
【請求項４】
請求項1及び請求項2に記載のノギス及び電子ノギスの不使用時に収納袋への収納又は格納箱への格納を容易にするため折り曲げ自在とした指掛部及び指通し部を持つノギス及び電子ノギス。
【発明の詳細な説明】
【技術分野】
【０００１】
本発明はノギスに関する。詳しくは本尺及び副尺スライダ裏面に指掛部又は、指通し部を設け備えた事に関する。
【背景技術】
【０００２】
本尺の長手方向に沿って本尺目盛りを形成するとともに、スライダに副尺目盛りを形成したノギス、スライダの移動量をダイヤル指針の回転に変換してダイヤル表示するノギス、スライダの移動量を光電式、静電容量式、磁気式などのエンコーダによって電気信号に変換して信号に基づく移動量をデジタル表示する電子ノギスなどが知られている。（特許文献1,2,3参照）
【特許文献１】特許出願2002-146634  ノギス
【特許文献２】特許出願平9−48684  電子ノギス
【特許文献３】特許出願平7−256466  静電容量型ノギス
【発明の開示】
【発明が解決しようとする課題】
【０００３】
従来のノギス及び電子ノギス、静電容量型ノギス（以後特に名称を分ける必要のないときは総称してノギスと称す）は測定にあたって片手で被測定物を掴み、他方の片手で本尺を握りながら且つ、空いた指でスライダを移動させて被測定物の寸法などを求めていた。
【０００４】
ノギスは熟練者から素人まで様々な人により様々な作業に使われているが素人や肢体不自由者が取り扱うには難しさもあって落下させることもあり落下衝撃などの影響からノギスの測定精度に狂いが生じることもあった。
【０００５】
従来のノギスでは作業環境の著しく悪い水中や宇宙空間、工事現場及び側溝や縦穴などの場所にあっては紛失したりすることも考えられる。
【課題を解決するための手段】
【０００６】
前記課題を解決するための手段として一方の測定ジョーを有する本尺の長手方向の裏面に指掛部又は、指通し部を設け、他方の測定ジョーを有するスライダの裏面にも指掛部又は、指通し部を溶接固着して設けた。
【０００７】
他の方法として本尺とスライダに取付けられた前記指掛部又は、指通し部を不要とするばあいを考慮して取外し及び移動可能式も考案した。
【０００８】
前記取外し及び移動を可能にするため本尺に取付けられた前記指掛部又は、指通し部を溶接固着ではなく螺子止め固定としたために指掛部又は、指通し部の不要に際しては取外し可能である又、本尺の裏面に移動固定用の螺子孔を多数備えたことにより任意の螺子孔に固定できるようにしたため、これにより被測定物の大きさに合わせた位置に指掛部又は指通し部が移動可能である。
【０００９】
前記取外し及び移動を可能とするために螺子止めとは別の方法として本尺に取付ける前記指掛部又は、指通し部の固定方法として本尺を挟み固定式指通し部及び挟み固定式指掛部を考案した。
【発明の効果】
【００１０】
ノギスの裏面に指掛部又は、指通し部を備えることにより操作性が向上するために素人及び肢体不自由者の一部の方々にもノギスを使用する作業の範囲を拡大することが可能となる又、被測定物の確認作業効率が向上する上に指通し部に指を通すことにより誤って落下させることも少なくなり作業環境に影響されることが減少して紛失事故及びノギスの測定精度を狂わすことも防げるようになる。
【発明を実施するための最良の形態】
【００１１】
従来の副尺目盛付ノギスを図2（a）1で示した。一端に測定ジョー13、14を有し目盛4を表記した長尺な本尺3とこの本尺3の長手方向に移動可能に設けられた測定ジョー15,16を有し且つ副尺目盛部7とデプスバー17（図2（b）で図示）を有したスライダ6を主たる部品として構成されている。
【００１２】
図2（b）2では従来の電子ノギスを示した。外側測定ジョー13a、15aと内側測定ジョー14a、16aとデプスバー17を有しているのは従来の副尺目盛付ノギス1と同じであるが電子部品内蔵本尺5には長尺電子基盤が収納配置されている（以後本尺と称する）。スライダである電子部品内臓可動部8はプリント回路基盤などが内蔵され静電容量などの変化を検出して表示部9にデジタル表示する。
【００１３】
ノギスは図3の（a）（b）で示すように大きくは本尺3とスライダ6に分けられる。本尺3とスライダ6を重合し本尺囲み部材1、22と本尺囲み部材2、23でスライダが摺動自在となるように本尺3を囲んでノギスが形成されており、公知の電子ノギス図2（b）、2にあっては図3（b）本尺囲み部材1、22本尺囲み部材2、23に相当する位置に電子部品内蔵稼働部8が取付けられている。
【実施例】
【００１４】
本発明も公知のノギス類と同様に金属、非鉄金属、合成樹脂などを部材として使用する。そうした公知のノギスにあって副尺目盛付ノギスも各種電子ノギスも裏面においてはほぼ同様の形態となっており副尺目盛付ノギスを本発明請求項1及び請求項2の代表実施例として図1で示す。
【００１５】
図1（a）は請求項1のノギスと請求項2の電子ノギスの裏面図である。本尺3の破線部48は指掛部材図1（c）27又は、指通し部材図1（d）32の接合位置2を示している又、スライダ6の破線部47も指掛部材27又は、指通し部材32の接合位置1を示している。ここではスライダ6に指掛部材27、本尺3に指通し部材32を使用して例示した。
【００１６】
図1（b）は外側用ジョー13側からノギスを見た側面図である。図1（c）は指掛部材27で図1（a）47の接合位置1、に溶接固着する又、図1（d）は指通し部材32で図1（a）48の接合位置2、に溶接固着する。
【００１７】
指掛部材27と指通し部材32が溶接固着されると図1（e）に示されるような指掛部26及び指通し部31が付いた本発明「指掛部指通し部付きノギス」が完成する又、指掛部、指通し部はそれぞれの接合位置を変えて図1（a）47の接合位置1に指通し部材32を溶接固着させ、図1（b）48の位置に指掛部材27を溶接固着させることも可能である又、図1（a）47、48の接合位置の両方が指掛部であったり、指通し部であったりしてもよい。
【００１８】
図4は請求項3であって指掛部図4（c）26及び指通し部図4（c）31が不要の際に取外すことを可能とした螺子止め固定式の指掛部26及び指通し部31で図4（a）のスライダ6に設けられた螺子孔29に図4（b）に示すように指掛部材止め螺子28を指掛部材27の指掛部材止め螺子用孔30を通して指掛部材27をスライダ6に螺子止め固定する仕様となっているもので不要の際には取外し可能である。指通し部材32も指掛部材27と同じく本尺に設けられた指通し部材止め螺子孔34に螺子33による螺子止め固定式であり不要に際して取り外し可能である。
【００１９】
図5（a）は請求項3の指掛部又は、指通し部（図5にあっては指通し部）を位置変え可能とするために本尺に多数の移動用螺子孔群49を設けることにより図5（b）（A)の矢印で示すような範囲で指通し部材32を任意の位置に選択して螺子止め固定することを可能としたものでる。
【００２０】
図6（a）は請求項3の指掛部又は、指通し部（図6にあっては指通し部40）を位置変え可能とするために考案した挟み固定式指通し39の側面図でヒンジ部50を透し図とした。
【００２１】
図6（b）は挟み固定式指通しを組立てる前の側面図で挟み固定式指通し部材46を矢印方向へはめ込みスワリングピン通し孔43へ図6（c）で示すようにスワリングピン42を矢印方向へ挿入するかスワリングピンの代用として細長い螺子などを使用して組立ててもよい。
【００２２】
図6（c）は挟み固定式指通し39の正面からの分解図でスワリングピン通し孔43を透し図で示した。41はコ形の挟み固定式用ブリッジになっており内側には弾性樹脂44又は、弾性ゴムを貼り付けて本尺に傷を付けない工夫をした。図6（d）はスワリングピンの形態図である。
【００２３】
挟み固定用指通し39は図7（a）で示すように本尺止端部矢印（A）から挿入して任意の位置で挟み固定式指通し部材46を矢印（B）で示すように本尺3方向へ引き上げることにより図7（b）40で示すような挟み固定式指通し部となる。
【００２４】
図8（a）は請求項4の折り曲げ式指通し部の側面図でリベット通し孔52、53を透し図とした。図8（b）は折り曲げ式指掛部の側面図でリベット通し孔52、53を透し図とした。図8（c）、（d）は折り曲げ式指通し部及び指掛部をリベット頭頂部側から見た図で折り曲げが矢印方向又は、逆方向へ自在に曲げることが可能なことを図示した。
【００２５】
指通し部図8（a）及び指掛部図8（ｂ）共にコ形をした折り曲げ式用固定部材56の両端にリベット通し孔52を設け、折り曲げ式指通し部材54及び折り曲げ式指掛部材55に設けられた折り曲げ式部材リベット通し孔53と重合させてリベットで折り曲げ自在性を確保しながら止めた。リベットに代えて螺子で止めることも可能である。
【００２６】
図9は折り曲げ式指通し部、折り曲げ式指掛部を公知のノギス及び電子ノギスに溶接固着したときの外側用ジョー側から見た側面図である。折り曲げ式用固定部材56の本尺3及びスライダ6への接合は螺子止めでも可能であり又、本尺3への固定は前記した請求項3の挟み固定式指通し図6（a）39を図8で示す方法で折り曲げ式にすることも可能である。
【図面の簡単な説明】
【００２７】
【図１】は本発明公知のノギス及び電子ノギスの裏面に指掛部及び指通し部を取り付けた図である。
【図２】は公知のノギス及び電子ノギスの表面図である。
【図３】は公知のノギスを大きく2つに分けて説明した図である。
【図４】は指掛部及び指通し部を螺子止めとして指掛部又は、指通し部が不要に際しては取り外しを可能とすることを示した図である。
【図５】は請求項3で本尺の指掛部又は、指通し部が本尺に設けられた螺子孔の範囲で移動固定が可能であることを示した図である。
【図６】は請求項3で本尺に取付ける指掛部又は、指通し部の位置変えを簡易に可能とするために考案した挟み固定式指通し部の説明図である。
【図７】は挟み固定式指通し部を本尺に取付ける方法を示した図である。
【図８】は請求項4の指掛部及び指通し部を折り曲げ自在とする方法を示した図である。
【図９】は折り曲げ式指掛部及び指通し部を公知のノギスの裏面に固着したときの側面図である。
【符号の説明】
【００２８】
1  副尺目盛付ノギス
2  電子ノギス
3  本尺
4  本尺目盛部
5  電子部品内蔵本尺
6  スライダ
7  副尺目盛部
8  電子部品内蔵可動部
9  電子ノギス表示部
10  電子ノギス電源
11  クリアボタン
12  保留ボタン
13  本尺外側用ジョー
13a  電子部品内蔵本尺外側用ジョー
14  本尺内側用ジョー
14a  電子部品内蔵本尺内側用ジョー
15  スライダ外側用ジョー
15a  電子部品内蔵可動部外側用ジョー
16  スライダ内側用ジョー
16a  電子部品内蔵可動部内側用ジョー
17  デプスバー
17a  デプスバー収納溝
18  デプスバー測定子
19  止端部材
20  止端部材止め螺子用孔
21  止端部材止め螺子
22  本尺囲み部材1
23  本尺囲み部材2
24  本尺囲み部材止め螺子
25  スライダ止め螺子
26  指掛部
27  指掛部材
28  指掛部材止め螺子
29  指掛部材止め螺子孔
30  指掛部材止め螺子用孔
31  指通し部
32  指通し部材
33  指通し部材止め螺子
34  指通し部材止め螺子孔
35  指通し部材止め螺子用孔
36  挟み固定式指掛け
37  挟み固定部
38  挟み固定式指掛部
39  挟み固定式指通し
40  挟み固定式指通し部
41  挟み固定用ブリッジ
42  スワリングピン
43  スワリングピン通し孔
44  弾性樹脂
45  挟み固定式フック部
46  挟み固定式指通し部材
47  接合位置1
48  接合位置2
49  移動用螺子孔群
50  ヒンジ部
51  リベット
52  リベット通し孔
53  折り曲げ式部材リベット通し孔
54  折り曲げ式指通し部材
55  折り曲げ式指掛部材
56  折り曲げ式用固定部材
【図１】
2009293962.tif 000003
【図２】
2009293962.tif 000004
【図３】
2009293962.tif 000005
【図４】
2009293962.tif 000006
【図５】
2009293962.tif 000007
【図６】
2009293962.tif 000008
【図７】
2009293962.tif 000009
【図８】
2009293962.tif 000010
【図９】
2009293962.tif 000011